(57)【要約】【課題】  シャーシの上部近傍箇所に配置される基板に、上向きボスをはめ込むための開孔の大きさを小さくすることができ、基板の使用面積を拡大することができる。また、筐体の下壁の上部近傍箇所に配置される板状部品に、上向きボスをはめ込むための開孔の大きさを小さくすることができる。【解決手段】  上向きボス５がシャーシ１から分離され、上向きボス５は下端に鍔状部５ａを有し、シャーシ１には分離構成された上向きボス５を下側から挿入するための開孔１ａが形成されており、基板２をシャーシ１の上部近傍箇所に配置した状態で分離構成された上向きボス５がシャーシ１の開孔１ａから基板２の貫通孔２ａに挿入されてこの上向きボス５の上端がデッキ３にビス止め固定され、上向きボス５の下端がシャーシ１に固定されている。【選択図】  図１
2006114135.tif 000002
【特許請求の範囲】
【請求項１】
シャーシの上部近傍箇所に基板が配置され、この基板が上部のデッキに下向きボスを介してビス止め固定され、前記シャーシから立設された上向きボスに前記デッキが取付固定されている記録再生装置において、前記上向きボスが前記シャーシから分離され、この上向きボスは下端に鍔状部を有し、前記シャーシには分離構成された前記上向きボスを下側から挿入するための開孔が形成されており、前記基板を前記シャーシの上部近傍箇所に配置した状態で前記分離構成された上向きボスが前記シャーシの開孔から前記基板の貫通孔に挿入されてこの上向きボスの上端が前記デッキにビス止め固定されるように構成され、前記上向きボスにおける下端近傍箇所に板状の係止羽部が設けられる一方、前記シャーシの開孔には、この係止羽部が下側から嵌め入れられる導孔が形成されており、前記上向きボスが前記シャーシの開孔から上向きに挿入されるときに、前記係止羽部が前記導孔を通り、その後に、前記上向きボスを回動させることにより、前記係止羽部が前記シャーシの上面に係止されて前記上向きボスが下側に抜けることを阻止されるように構成したことを特徴とする記録再生装置。
【請求項２】
筐体の下壁の上部近傍箇所に板状部品が配置され、この板状部品が上部部材にビスめ固定され、前記筐体の下壁から立設された上向きボスに前記上部部材が取付固定されている電気機器における筐体内の部品固定構造において、前記上向きボスが前記筐体の下壁より分離され、この上向きボスは下端に鍔状部を有し、前記筐体の下壁には分離構成された前記上向きボスを下側から挿入するための開孔が形成されており、前記板状部品を分離構成された前記上向きボスを前記筐体の下壁の上部近傍箇所に配置した状態で前記分離構成された上向きボスが前記筐体の下壁の開孔から前記板状部品の貫通孔に挿入されてこの上向きボスの上端が前記上部部材にビス止め固定され、前記上向きボスの下端の鍔状部が前記筐体の下壁に取付固定されるように構成したことを特徴とする電気機器における筐体内の部品取付構造。
【請求項３】
前記筐体がシャーシで構成され、前記板状部品が基板からなり、前記上部部材がデッキである請求項２に記載の電気機器における筐体内の部品取付構造。
【発明の詳細な説明】
【技術分野】
【０００１】
本発明は、シャーシの上部近傍箇所に基板が配置され、この基板が上部のデッキに下向きボスを介してビス止め固定され、シャーシから立設された上向きボスにデッキが取付固定されている記録再生装置及び筐体の下壁の上部近傍箇所に板状部品が配置され、筐体の下壁から立設された上向きボスに上部部材がビス止め固定されている電気部品における筐体内の部品取付構造と電気機器における筐体内の部品取付方法に関するものである。
【背景技術】
【０００２】
従来の記録再生装置は、例えば図８に示すように、デッキ１０１を固定するために、シャーシ１０２にビス止め用のボス１０３が一体に立設されている。このために、シャーシ１０２の上部近傍箇所に配置される基板１０４には、ボス１０３を挿入するための孔１０４ａが形成されている。図９に示すように、基板１０４の端部にはチューナーなどのコネクタ１０５が基板１０４の外側に突出して取り付けられていることが多い。このために、基板１０４をシャーシ１０２の上部近傍位置に配置するときに、基板１０４を一度斜めにして挿入する必要がある。そのために、基板１０４の挿入時にボス１０３を避けるために基板１０４には図１０にも示すように、ボス１０３より大きめな孔１０４ａを形成する必要がある。これは、挿入後に基板１０４には無駄な大きさの孔１０４ａが開いていることになる。このために、孔１０４ａが大きいので、基板使用面積が狭くなるという問題があった。
【０００３】
第１の従来技術を図１１、図１２、図１３に示す。この従来の磁気テープ装置は、図１１、図１２、図１３に示すように、配線基板２０２のビス挿通孔２２１に挿通した頭付き取付ビス２０５を、配線基板２０２の上側に載架したデッキ２０３の取付部２３３のねじ孔２３５にねじ込むことによって、配線基板２０２を取付部２３３にビス止めする。頭付き取付ビス２０５の頭部２５１を、筐体２０１の底板部２１２に突出させた支持座２１３に着座させる。筐体２０１側の取付部２１６を配線基板２０２の挿通孔２０４に挿通させて、メカシャーシ２３１をビス止めする。
【０００４】
ところが、これにおいても、筐体２０１の上部近傍箇所に配線基板２０２を配置するときに、配線基板２０２をずらして挿通孔２０４を筐体２０１側の取付部２１６に挿通しなければならないので、配線基板２０２の挿通孔２０４を大きくしなければならないという問題があった。（例えば、特許文献１参照）。
【特許文献１】特開２００３−２８１８６６号公報
【発明の開示】
【発明が解決しようとする課題】
【０００５】
本発明は、上記従来の問題に鑑みてなされたものであって、シャーシの上部近傍箇所に配置される基板に、上向きボスをはめ込むための開孔の大きさを小さくすることができ、基板の使用面積を拡大することができる記録再生装置を提供する。また、筐体の下壁の上部近傍箇所に配置される板状部品に、上向きボスをはめ込むための開孔の大きさを小さくすることができる筐体内の部品取付構造及び筐体内の部品取付方法を提供することを目的としている。
【課題を解決するための手段】
【０００６】
本発明は、上記課題を解決するために提案されたものであって、請求項１に記載の発明は、シャーシの上部近傍箇所に基板が配置され、この基板が上部のデッキに下向きボスを介してビス止め固定され、前記シャーシから立設された上向きボスに前記デッキが取付固定されている記録再生装置において、前記上向きボスが前記シャーシから分離され、この上向きボスは下端に鍔状部を有し、前記シャーシには分離構成された前記上向きボスを下側から挿入するための開孔が形成されており、前記基板を前記シャーシの上部近傍箇所に配置した状態で前記分離構成された上向きボスが前記シャーシの開孔から前記基板の貫通孔に挿入されてこの上向きボスの上端が前記デッキにビス止め固定されるように構成され、前記上向きボスにおける下端近傍箇所に板状の係止羽部が設けられる一方、前記シャーシの開孔には、この係止羽部が下側から嵌め入れられる導孔が形成されており、前記上向きボスが前記シャーシの開孔から上向きに挿入されるときに、前記係止羽部が前記導孔を通り、その後に、前記上向きボスを回動させることにより、前記係止羽部が前記シャーシの上面に係止されて前記上向きボスが下側に抜けることを阻止されるように構成したことを特徴としている。
【０００７】
請求項２に記載の発明は、筐体の下壁の上部近傍箇所に板状部品が配置され、この板状部品が上部部材にビスめ固定され、前記筐体の下壁から立設された上向きボスに前記上部部材が取付固定されている電気機器における筐体内の部品固定構造において、前記上向きボスが前記筐体の下壁より分離され、この上向きボスは下端に鍔状部を有し、前記筐体の下壁には分離構成された前記上向きボスを下側から挿入するための開孔が形成されており、前記板状部品を分離構成された前記上向きボスを前記筐体の下壁の上部近傍箇所に配置した状態で前記分離構成された上向きボスが前記筐体の下壁の開孔から前記板状部品の貫通孔に挿入されてこの上向きボスの上端が前記上部部材にビス止め固定され、前記上向きボスの下端の鍔状部が前記筐体の下壁に取付固定されるように構成したことを特徴としている。
【０００８】
請求項３に記載の発明は、前記筐体がシャーシで構成され、前記板状部品が基板からなり、前記上部部材がデッキである。
【０００９】
請求項４に記載の発明は、前記上向きボスの下側近傍箇所と長手方向所定箇所の上下には、係止羽部がそれぞれ設けられる一方、前記筐体の下壁の開孔と前記板状部材に設けられた貫通孔には、前記係止羽部が下側から嵌め入れられる導孔が形成されており、前記上向きボスが前記筐体の下壁の開孔から上向きに挿入されるときに、前記下側近傍箇所の係止羽部が前記開孔の導孔を通り、その後に、前記長手方向所定箇所の上側の係止羽部が前記板状部品の貫通孔の導孔を通った後に、上向きボスを回動させることにより、前記係止羽部が前記筐体の下壁の上面に係止されるとともに、前記上側の係止羽部が前記板状部品の上面に係止され、前記上向きボスは前記筐体の下壁に抜け止め固定されるとともに、前記板状部品は上側の係止羽部と下側の係止羽部とで位置決め固定されるように構成した。
【００１０】
請求項５に記載の発明は、前記上向きボスの下端の鍔状部には、上向きに係止爪部が形成され、前記筐体の下壁の開孔の近傍には係入孔が形成されており、前記上向きボスが前記筐体の下壁の開孔に挿入したときに、前記係止爪部が前記係入孔に係入係止されるように構成した。
【００１１】
請求項６に記載の発明は、前記上向きボスには、前記鍔状部の上側に大径部が設けられるとともに、その外側に長めの係止爪部が形成される一方、前記筐体の下壁には大径の開孔が形成されるとともに、前記板状部品には係入孔が形成されており、前記上向きボスを前記筐体の下壁の開孔に挿入した後に、前記係止爪部が前記板状部品の係入孔に係入係止され、前記大径部の上端が前記板状部品の下面に当接して前記板状部品を位置決め固定するようにした。
【００１２】
請求項７に記載の発明は、筐体の下壁の上部近傍箇所に板状部品を配置し、この板状部品を上部部材にビス止め固定し、前記筐体の下壁から立設した上向きボスに前記上部部材を取付固定するようにした電気機器における筐体内の部品固定方法において、前記上向きボスを前記筐体の下壁の下壁から分離し、前記上向きボスを前記筐体の下壁の開孔から前記板状部品の貫通孔に挿入し、この上向きボスの上端を前記上部部材にビス止め固定し、前記上向きボスの下端を前記筐体の下壁に取付固定することを特徴としている。
【発明の効果】
【００１３】
請求項１に記載の発明によれば、デッキにビス止め固定される上向きボスをシャーシと分離構成し、シャーシの上部近傍箇所に基板を配置した後に、上向きボスをシャーシの開孔から上向きに挿入できるので、基板を斜め向きに挿入した後でも上向きボスをこの基板の貫通孔に挿入でき、この基板の貫通孔の大きさを小さくすることができる。また、基板の貫通孔を小さくすることができるので、基板の使用面積を拡大することができる。更に、上向きボスにおける下端近傍箇所に設けられる板状の係止羽部をシャーシの開孔の導孔に入れて上向きボスを回動することによって、この係止羽部がシャーシの上面に係止されるので、上向きボスが下側に抜けることを阻止でき、上向きボスをシャーシに位置決め固定することができる。
【００１４】
請求項      ２に記載の発明によれば、上部部材にビス止め固定される上向きボスを筐体の下壁と分離構成し、筐体の上部近傍箇所に配置される板状部品を斜め向きに挿入した後に、上向きボスを筐体の下壁の開孔に挿入することができ、板状部品の貫通孔に下側から挿入できるので、この板状部品の貫通孔を上向きボスの直径とほぼ同じ大きさぐらいに小さくすることができる。このことにより、板状部品の使用面積を拡大することができる。
【００１５】
請求項３に記載の発明によれば、筐体がシャーシで構成され、板状部品が基板からなり、上部部材がデッキからなるものであるから、上向きボスを挿入するための基板に形成される貫通孔の大きさを小さくすることができ、基板の使用面積を拡大することができる。
【００１６】
請求項４に記載の発明によれば、上向きボスの下側近傍箇所の係止羽部の筐体の下壁における開孔への挿入後の係止で上向きボスを筐体の下壁に位置決め固定することができる。これとともに、上向きボスの長手方向所定箇所の上下の係止羽部の板状部品における貫通孔への挿入後の係止で板状部品を位置決め固定することができる。
【００１７】
請求項５に記載の発明によれば、上向きボスを筐体の下壁の開孔に挿入するときに、上向きボスの鍔状部から上向きに突設された係止爪部が筐体の下壁の係止孔に係入係止されることによって、上向きボスを筐体の下壁に位置決め固定することができる。
【００１８】
請求項６に記載の発明によれば、上向きボスの大径部が筐体の大径の開孔に挿入された後に、上向きボスにおける大径部の外側の長めの係止爪部が板状部品の係入孔に係入係止されることにより、板状部品の下面には上向きボスの大径部の上端面が当接しているので、この大径部と係止爪部とで、板状部品を位置決め固定することができる。また、このことにより、上向きボスを筐体の下壁に位置決めすることもできる。
【００１９】
請求項７に記載の発明によれば、上向きボスが筐体の下壁から分離構成されているから、板状部品を斜め向きに入れても、入れた後に上向きボスを筐体の下壁の開孔から板状部品の貫通孔に挿入できるので、板状部品の貫通孔を小さくすることができる。このことにより、板状部品の使用面積を拡大することができる。
【発明を実施するための最良の形態】
【００２０】
以下、本発明に係る記録再生装置、電気機器における筐体内の部品取付構造及び電気機器における筐体内の部品取付方法の実施の形態について、図を参照しつつ説明する。
【００２１】
図1は本発明の第１実施形態の記録再生装置の概略側面図である。
【００２２】
この第２実施形態の記録再生装置は、図１に示すように、シャーシ１の上部近傍箇所に基板２が配置される。この基板２は上部のデッキ３に下向きボス４を介してビス止め固定されている。また、デッキ３にビス止め固定される上向きボス５がシャーシ１とは分離構成されている。上向きボス５は下端に鍔状部５ａを有し、シャーシ１には分離構成された上向きボス５を下側から挿入するための開孔１ａが形成されている。上向きボス５における近傍箇所に左右一対の板状の係止羽部５ｂ、５ｂが設けられている。基板２には上向きボス５を挿入するための貫通孔２ａが形成されている。
【００２３】
図２は同装置の要部を示し、上向きボスをシャーシの開孔と基板の貫通孔に挿入している状態の縦断面図、図３は同装置の要部における上向きボスを更に挿入した状態を示し、（ａ）はその縦断面図、（ｂ）はそのシャーシの下側から見た底面断面図、図４は同装置の要部における上向きボスを入れ込んでデッキにビス止め固定した状態を示し、（ａ）はその縦断面図、（ｂ）はそのシャーシの下側から見た底面断面図である。
【００２４】
図２、図３（ａ）（ｂ）に示すように、シャーシ１の開孔１ａには、係止羽部５ｂ、５ｂが下側から嵌め入れられる左右一対の放射状の導孔１ｂ、１ｂが形成されている。
【００２５】
上記構成により、基板２をシャーシ１の上部近傍箇所に配置した状態で、上向きボス５がシャーシ１の開孔１ａから基板２の貫通孔２ａに挿入される。このとき、図３（ａ）（ｂ）に示すように、係止羽部５ｂ、５ｂがシャーシ１の導孔１ｂ、１ｂを通る。その後に、図４（ｂ）に示すように、上向きボス５を回動すると、係止羽部５ｂ、５ｂがシャーシ１の上面に係止され、上向きボス５が下側に抜けることを阻止される。図１、図４（ａ）に示すように、上向きボス５の上端がデッキ３にビス６で取付固定される。
【００２６】
従って、この第１実施形態によれば、デッキ３にビス止め固定される上向きボス５をシャーシ１と分離構成し、シャーシ１の上部近傍箇所に基板２を配置した後に、上向きボス５をシャーシ１の開孔１ａから上向きに挿入できるので、基板２を斜め向きに挿入した後でも上向きボス５をこの基板２の貫通孔２ａに挿入できる。このことにより、基板２の貫通孔２ａの大きさを小さくすることができる。また、基板２の貫通孔２ａを小さくすることができるので、基板２の使用面積を拡大することができる。
【００２７】
更に、上向きボス５における下端近傍箇所に設けられる板状の係止羽部５ｂ、５ｂをシャーシ１の開孔１ａの導孔１ｂ、１ｂに入れて上向きボス５を回動することによって、この係止羽部５ｂ、５ｂがシャーシ１の上面に係止されるので、上向きボス５が下側に抜けることを阻止でき、上向きボス５をシャーシ１に位置決め固定することができる。
【００２８】
図５は第２実施形態の記録再生装置における要部を示し、（ａ）はその縦断面図、（ｂ）はその基板の底面側から見た部分断面図である。尚、上記した第１実施形態と同一部材、同一箇所には同一符号を付してその説明を省略する。
【００２９】
この第２実施形態の記録再生装置は、図５に示すように、上記した第１実施形態の構成に加えて、上向きボス５の長手方向所定箇所の上下に、板状の係止羽部５ｃ、５ｃ及び５ｄ、５ｄがそれぞれ設けられている。基板２の貫通孔２ａには放射状の導孔２ｂ、２ｂが形成されている。上向きボス５が基板２の貫通孔２ａに挿入されるときに、上向きボス５の上側の係止羽部５ｃ、５ｃが、基板２の導孔２ｂ、２ｂを通り、その後に上向きボス５を回動させることによって、この上側の係止羽部５ｃ、５ｃが基板２の上面に係止される。この基板２の下面には、上向きボス５の下側の係止羽部５ｄ、５ｄが当接されるので、基板２は上下の係止羽部５ｃ、５ｃ及び５ｄ、５ｄに挟まれた状態で位置決め固定される。
【００３０】
この第２実施形態によれば、上向きボス５は下端近傍箇所の係止羽部５ｂ、５ｂがシャーシ１の上面に係止されることによって、シャーシ１に抜け止め固定することができ、基板２は上向きボス５の上下の係止羽部５ｃ、５ｃ及び５ｄ、５ｄによって挟まれた状態で位置決め固定できる。
【００３１】
図６は第３実施形態の記録再生装置における要部の縦断面図である。
【００３２】
この第３実施形態の記録再生装置は、図６に示すように、上向きボス５の下端の鍔状部５ａには、上向きに係止爪部５ｅ、５ｅが形成され、シャーシ１の開孔１ａの近傍には係入孔１ｃ、１ｃが形成されている。上向きボス５をシャーシ１の開孔１ａに挿入したときに、上向きボス５の係止爪部５ｅ、５ｅがシャーシ１の係入孔１ｃ、１ｃに係入係止される。
【００３３】
従って、この第３実施形態によれば、上向きボス５の係止爪部５ｅ、５ｅがシャーシ１の係入孔１ｃ、１ｃに係入係止されることによって、上向きボス５を抜け止め固定することができる。
【００３４】
図７は第４実施形態の記録再生装置における要部の縦断面図である。
【００３５】
この第４実施形態は、図７に示すように、上向きボス５の鍔状部５ａに、上向きに大径部５ｆが設けられるとともに、その外側に長めの係止爪部５ｇ、５ｇが形成されている。
シャーシ１には、大径部５ｆが挿入される大径の開孔１ｄが形成されている。基板２には、係止爪部５ｇ、５ｇの上端の爪が係入される係入孔２ｃ、２ｃが形成されている。上向きボス５をシャーシ１の大径の開孔１ｄに挿入した後に、上向きボス５の係止爪部５ｇ、５ｇが基板２の係入孔２ｃ、２ｃに係入係止されるとともに、基板２の下面に上向きボス５の大径部５ｆの上面が当接する。
【００３６】
従って、この第４実施形態によれば、上向きボス５をシャーシ１の大径の開孔１ｄと基板２の貫通孔２ａに挿入したときに、上向きボス５の係止爪部５ｇ、５ｇが基板２の係入孔２ｃ、２ｃに係入係止され、基板２の下面に上向きボス５の大径部５ｆが当接するので、基板２を位置決め固定することができる。また、シャーシ１から上向きボス５が抜けることを阻止できる。
【００３７】
尚、上記各実施形態では、記録再生装置について説明したが、本発明はこれに限らず他の電気機器の部品取付構造にも適用できることは勿論である。例えば、シャーシを他の電気機器の筐体の下壁に適用し、基板を電気機器の他の絶縁板等の板状部品に適用し、デッキを他の電気機器の上部部材に適用できることは勿論である。
【図面の簡単な説明】
【００３８】
【図１】本発明の第１実施形態の記録再生装置の概略側面図である。
【図２】同装置の要部を示し、上向きボスをシャーシの開孔と基板の貫通孔に挿入している状態の縦断面図である。
【図３】同装置の要部における上向きボスを更に挿入した状態を示し、（ａ）はその縦断面図、（ｂ）はそのシャーシの下側から見た底面断面図である。
【図４】同装置の要部における上向きボスを入れ込んでデッキにビス止め固定した状態を示し、（ａ）はその縦断面図、（ｂ）はそのシャーシの下側から見た底面断面図である。
【図５】第２実施形態の記録再生装置における要部を示し、（ａ）はその縦断面図、（ｂ）はその基板の底面側から見た部分断面図である。
【図６】第３実施形態の記録再生装置における要部の縦断面図である。
【図７】第４実施形態の記録再生装置における要部の縦断面図である。
【図８】従来の記録再生装置の概略側面図である。
【図９】同装置の基板の平面図である。
【図１０】同装置の部分縦断面図である。
【図１１】従来の磁気テープ装置の概略側面図である。
【図１２】同装置の部分拡大断面図である。
【図１３】同装置におけるデッキと筐体とのビス止め箇所を示す正面図である。
【符号の説明】
【００３９】
１        シャーシ
１ａ      開孔
１ｂ      導孔
１ｃ      係入孔
１ｄ      大径の開孔
２        基板
２ａ      貫通孔
２ｂ      導孔
２ｃ      係入孔
３        デッキ
４        下向きボス
５        上向きボス
５ａ      鍔状部
５ｂ      板状の係止羽部
５ｃ      板状の係止羽部
５ｄ      板状の係止羽部
５ｅ      係止爪部
５ｆ      大径部
５ｇ      係止爪部
６        ビス
【図８】
2006114135.tif 000003
【図９】
2006114135.tif 000004
【図１】
2006114135.tif 000005
【図２】
2006114135.tif 000006
【図３】
2006114135.tif 000007
【図４】
2006114135.tif 000008
【図５】
2006114135.tif 000009
【図６】
2006114135.tif 000010
【図７】
2006114135.tif 000011
【図１０】
2006114135.tif 000012
【図１１】
2006114135.tif 000013
【図１２】
2006114135.tif 000014
【図１３】
2006114135.tif 000015